(57)【要約】      （修正有）【課題】分離精度を高め、かつ、分離に要する時間を短縮できるように、遠心分離機にかけることができる分液ロートを提供する。【解決手段】液体入口に蓋用外ネジ１付管状形態２を持つ、管状体の中下方位置の栓室と栓塞を備えている二方コック３を介設し、コックの下部に細い液体流出口５を設けて、その液体流出口５の全周にわたって空間を作っているスカートで取り囲まれ、且つこのスカートの長さが流出口５の長さより長い形状を備えることで、遠心分離機のロータ・バケットに適合でき且つ、遠心力に耐えうる構造を持つ一体型遠心分液ロートを構成する。【選択図】図２
0003156599.tif 000002
【実用新案登録請求の範囲】
【請求項１】
液体入口に外ネジ１付管状形態２を持つ、中下方の位置に二方コック３を介設している、下部液体流出口５を細く足管にして、足管の全周にわたって空間を作っているスカートで取り囲まれ且つ流出口５より長く的な基部４を備えている、遠心分離機のロータ・バケットに適合できる且つ遠心力に耐えうる構造を特徴とする一体型遠心分液ロート。
【請求項２】
液体入口に外ネジ１付管状形態２を持つ、下部液体流出口５を細く足管にして且つネジを設けている構造を特徴とする上下ネジ付管形ロート。
【請求項３】
上部にネジを付いている、中部に二方コックを備えている、下部に液体流出口５を細く足管にして、足管の全周にわたって空間を作っているスカートで取り囲まれ且つ流出口５より長く的な基部を備えている円柱形二方コック構造を特徴とするコック基部。
【請求項４】
請求項２記載の管形上下ネジ付ロートの足管と請求項３記載のコック基部をネジ切りして接続して一体成れることにより、遠心分離機のロータ・バケットに適合できる且つ遠心力に耐えうる構造を特徴とする二段型遠心分液ロート。
【請求項５】
略円錐状貫通孔を持つコック体は管胴体の中心垂直線を基準にして傾斜角度を持つ形状に形成されてなり、また、そのコック栓室に嵌合できる開閉自在に連通孔付き栓塞構造を特徴とする、請求項１、４記載の遠心分液ロートのコック。
【請求項６】
栓塞の軸方向中心線を基準として栓塞の重心は栓塞連通孔の横側面において非対称的な重心偏移構造を特徴とする、請求項１、４記載の遠心分液ロートのコック栓塞。
【請求項７】
栓塞のハンドルを含むコック全体は管胴体の外直径に等しく或はより短くであって、ハンドルは非対称的な重心偏移構造であって、ハンドルを採用しない場合は一字或いは十字穴付き形構造を特徴とする、請求項１、４記載の遠心分液ロートのコック栓塞。
【請求項８】
栓塞連通孔の横側面に斜面な切欠き溝口を設ける且つ栓塞の重心は溝口の反対側であって遠心運動中切れ口が上向ける状態となる構造を特徴とする、請求項１、４記載の遠心分液ロートのコック栓塞。
【請求項９】
栓塞の先端部と栓室の深い部との嵌め合いは弱締まり嵌めを設けてなる、且つ栓塞のハメ部分が対応栓室のハメ部分の中途半端に止まる構造を特徴とする、請求項１、４記載の遠心分液ロートのコック。
【請求項１０】
コックの栓室の深い部が封じ込みられて、ロートとコックの液体流路は略├型の流路空間が形成され、栓室の入口部に内ネジを有する、かつ、栓塞の先端部は栓室に嵌め合い形を持って流路の開け閉め機能を持つ、栓塞の後端部外周に栓塞へ螺着用の外ネジ部（８）が形成されている構造を特徴とする、請求項１、４記載の遠心分液ロートのコック。
【請求項１１】
遠心分液ロートのコック及び栓塞は高い摩擦性材質（例えばポリプロピレン）で構成される場合に、コックの栓室は円筒形にして、栓塞は円柱形で、嵌めあいは中間ばめ或は弱いシマリバメを実施して密封状態に成れ、材質の大きな摩擦係数特性を利用して栓塞ゆるむ防止と同時に軸水平回転による開閉できる構造を特徴とする、請求項１、４記載の遠心分液ロートのコック。
【請求項１２】
遠心分液ロートのコック及び栓塞は高い摩擦性材質（例えばポリプロピレン）で構成される場合に、コックの栓室は長方形の筒形状を持つ、栓塞は長方形の柱形状持つ、嵌めあいは中間ばめ或は弱いシマリバメを実施している、材質の大きな摩擦係数特性を利用して栓塞ゆるむ防止と同時に軸方向水平往復移動による開閉できる構造を特徴とする、請求項１、４記載の遠心分液ロートのコック。
【考案の詳細な説明】
【技術分野】
【０００１】  遠心機に適応する分液ロートに係わり、液−液分離の実験器具に関する。
【背景技術】
【０００２】  分液漏斗は互いに溶解し合わない２相の液体を比重の差を利用して分離する為に使用される実験器具である。従来分液ロートは、上部は広口の共栓型、すり合わせ部に回転により開閉可能な空気孔を設け、円錐状丸型或いは管状胴体、下部に長いスキーブ形、足の付け根に二方コックを持つ漏斗である。分液操作は比重の異なる二種以上の非相溶性液体の混合液を一定時間で振盪させたあとは、容器内で静置することにより各液体層を分離して、分離された液層を分液ロート下部二方コックから流出させて各層を分離するのは基本操作である。図１は従来分液ロート示す概略図である。分液漏斗は以下の欠点があった：▲１▼密度差がわずかである液−液は分離困難、▲２▼懸濁液や乳液など液−液は分離困難、▲３▼混合二相が静置自然分離のため、長時間が要し効率が低く同時に、二相も相互に残存の問題で分離精度も高くなく、分析誤差の原因となる、▲４▼また、従来遠心沈殿管は分液ロートの機能がないので、下層液を分取するのは、上層液を取り出してから或いは上層液を通して下層液を取り出す作業を要し、操作不便及びコンタミン問題が生じてしまう欠点がある。
【考案の開示】
【考案が解決しようとする課題】
【０００３】  上述の如く構成された従来例は、空気孔付共栓型口、円錐状丸型胴体、裸露な排出口、栓塞がコック栓室に単に嵌合せしめている簡単な構造であるから、遠心機で遠心分離に適応的な形質を持っていないから、応用分野が狭く、上記の欠点があった。本発明の目的は、分液ロート法と遠心分離法の二つ分離方法結合し、遠心機で遠心分離に適応な新たな実験器具「遠心分液ロート」を発明したことにより、上記各欠点を解決することを目的とするものである。
【課題を解決するための手段】
【０００４】  従来分液ロートの分離機能を保つ上、遠心機に適用する及び遠心力に耐えうる形状と構造を設けるによって課題を解決する。
【考案の効果】
【０００５】  本考案は、遠心分離に適応的な形質を持つ、新たな実験器具「遠心分液ロート」を提供できる。
【考案を実施するための最良の形態】
【実施例】
【０００６】  回転軸に対して角度をつけて保持する固定角ロータ、及び回転によりロータ・バケットを遠心方向にスイングさせる水平ロータは遠心分離機でよく使われている。容量１０ｍＬ、２５ｍＬ、５０ｍＬ、１００ｍＬ、１００ｍＬ、２５０ｍＬ、５００ｍのロータ・バケットも遠心分離機でよく使われている。本考案は通常ロータ・バケットに対応する。図２、４は本考案の第一と第三実施例を示す小容量遠心分液ロートである。図３は本考案の第二実施例を示す大容量遠心分液ロートである。本発明の遠心分液ロートは、遠心分離機ロータ容量に適用できるような形態が有し且つ遠心力（使用目的によって、１０００Ｇから数千Ｇまで）に耐えうる構造を備えている。遠心分液ロートを遠心機ロータにセットするはハンドル側を遠心力の反対方向へ、即ち遠心機の回転軸へ向うようにセットすることで更に栓塞脱落防止ことができる。又は、遠心分液ロート方法は従来の分液ロード方法と違い、遠心力を加わっているため、液漏れを防止するのには、栓塞と栓室の嵌め合いについて、従来形式より特に高精度設計加工が必要となる。胴体、バルブ、栓塞、保護座は酸やアルカリ、有機溶媒など広範囲な耐食性なガラス或いは合成樹脂（例えば：テフロン）、ポリプロピレン材質で構成である。【０００７】  図５は本考案の第一、第二の実施例に係る栓塞を示す概略図である。図６は本考案の第三実施例に係る栓塞を示す概略図である。コックの栓塞は切れ面を上向きにセットして、液体から生じる垂直下向きの遠心力は斜面（例えば４５度）に当たって、垂直分力と水平分力に分散られ、水平分力による栓塞を押さえてロックすると共に、垂直下向きの力が弱くなるによる栓塞隙間への圧力が軽減され、液体漏れの可能性も減少する。回転速度が速いほど栓塞が強く閉められ、高圧にも適用できるとなり、密閉効果を確保し、そして、軽快に開閉操作も可能になる。又は、栓塞の軸中心線から見ると切れ口側を上向きして、上部の重量より反対側が重くのような重心偏移構造は遠心運動中重量配分偏り生じる為、重い部分が下部に向くことによって遠心運動中栓塞に遠心力により、切れ口側が上に向ける状態となる。【０００８】  図４と図６で示す第三実施例は、管胴体の中心垂直線を基準にして、ニ方コックは９０度より狭い角度になっている構造は遠心力を利用して栓塞を押さえ、緩み防止の目的である。回転速度が速いほど栓塞が強く閉められ、高圧にも適用可能にして密閉効果を確保し、そして、軽快に開閉操作も可能にする。【０００９】  二方コックの足側の排出口を直接に他の物に接触しないように清潔を保つため、及び自立できるため、排出口の周辺にスカート抱合保護座を設けている自立式遠心分液ロートである。【０００１０】  従来ハンドル形は遠心運動間に遠心力による位置変動の不安定な原因となるため、遠心機に適用できない。本考案のハンドル支点中心からの重心偏移構造は遠心運動中重量配分に偏りが生じるようの為重い部分が下部に置くことによってこの問題を解決する。非対称的な重心偏移ハンドル構造は、図８が四方形、図９が三角形、図１０がＬ−ａ形，図１１がＬ−ｂ形ハンド実施例を示している。大型遠心分液ロートに対してハンドルを設置するのは容易ですが、小型遠��分液ロートに対してハンドルを設置するのは困難なので、ハンドルを替わり一字或は十字穴付き形がこの問題を解決する。図７は十字穴付き形栓塞実施例を示している。【０００１１】  遠心分液ロート本体はガラス材質、コックの栓塞が合成樹脂（例えば：テフロン）材質で構成した場合には、栓塞の先端部にややしめしろ嵌め合い構造を設けている。図１２は請求項９の実施例を示している。栓塞と栓体を組み合わせ時少々な圧力をかけて栓塞を栓室に押し込みできる又は分解洗浄もできる程度な嵌め合いは最適である。その上、栓塞のシマリバメ部分は対応な栓室のシマリバメ部分に中途半端に止まり、栓塞を吸い込む力が保つによって栓塞は軸方向に動かすが難くなる共に、テフロンの自己潤滑性特性で栓塞が栓室中に軸水平回転による開閉できる。【０００１２】  図１３と図１４は請求項１０を示すネジ型コック実施例である。【０００１３】  遠心分液ロートは薬品耐性にすぐれたポリプロピレン材質（或いはポリブタジェンスチレン、高密度ポリエチレン）で構成した場合には、コック栓室と栓塞の嵌めあいは中間ばめ或はシマリバメを実施してその摩擦性を利用して遠心中の振動でも栓塞がゆるむことはないと同時に、やや力で栓塞が栓室中に開閉できる。図１５は請求項１１に関する円柱形栓塞が円筒形栓室中に回り開閉できる遠心分液ロートコックを示している。図１６は請求項１２に関する長方形栓塞が長方形栓室中に左右移動開閉できる遠心分液ロートコックを示している。【０００１４】  上下ネジ付管形ロート及び対応なコック基部に対して、二つ接続方法がある。請求項２，３，４を示す二段型遠心分液ロートの実施例は二つがある。図１７と図１８は管形ロートの足側に外ネジを付いて、コック基部の上部接続部は内ネジを付いて、ネジ切りして接続して一体成れる実施例である。図１９と図２０は管形ロートの足側に内ネジを付いて、コック基部の上部接続部は外ネジを付いて、ネジ切りして接続して一体成れる実施例である。この独創的な形状が締結を実現し、さらに組み付け分解も非常に楽に行うことができます。
【産業上の利用可能性】
【０００１３】  遠心機も分液ロートも有機化学実験において頻繁に使用される実験装置であり、この二つ装置の使用を組み合わせによって出来た遠心分液ロートはその応用分野を大きく広くなって、作業能率が向上し、分離精度も高くなり、作業時間も大幅短縮であって、その産業上の利用可能性は大である。
【図面の簡単な説明】
【０００１４】
【図１】従来分液ロート示す代表図である。
【図２】本考案請求項１の第一実施例を示す概略断面図である。
【図３】本考案請求項１の第二実施例を示す概略断面図である。
【図４】本考案請求項５の施例を示す概略断面図である。
【図５】本考案請求項１の第一、第二の実施例に係る及び請求項６、７，８の実施例に係る栓塞を示す概略断面図、平面図と正面図である。
【図６】本考案請求項５、６、７，８の実施例に係る栓塞を示す概略断面図、平面図と正面図である。
【図７】本考案請求項６、７，８の重心偏移構造栓塞実施例を示す十字穴付き型である。
【図８】本考案請求項６、７，８の重心偏移構造栓塞実施例を示す非対称的な重心偏移四方型ハンドルである。
【図９】本考案請求項６、７，８の重心偏移構造栓塞実施例を示す非対称的な重心偏移三角型ハンドルである。
【図１０】本考案請求項６、７，８の重心偏移構造栓塞実施例を示す非対称的な重心偏移Ｌ−Ａ形ハンドルである。
【図１１】本考案請求項６、７，８の重心偏移構造栓塞実施例を示す非対称的な重心偏移Ｌ−Ｂ形ハンドルである。
【図１２】本考案請求項９の栓室、栓塞のシマリバメ部分を示す要部拡大概念図である。
【図１３】本考案請求項１０の第一実施例に係るネジ型コック及び栓塞を示す概略断面図、平面図である。
【図１４】本考案請求項１０の第二実施例に係るネジ型コック及び栓塞を示す概略断面図、平面図である。
【図１５】本考案請求項１１の実施例に係る高い摩擦性が有る円筒形栓室と円柱形栓塞を示すコック概略断面図である。
【図１６】本考案請求項１２の実施例に係る高い摩擦性が有る長方筒形栓室と長方柱形栓塞を示すコック概略断面図である。
【図１７】本考案請求項２の第一実施例を示す二段型遠心分液ロート中の上下ネジ付管形ロート概略断面図であり、管形ロートの足側に外ネジを付いている。
【図１８】本考案請求項３の第一実施例を示す二段型遠心分液ロート中のコック基部であり、上部接続部は内ネジを付いている。
【図１９】本考案請求項２の第二実施例を示す二段型遠心分液ロート中の上下ネジ付管形ロート概略断面図であり、管形ロートの足側に内ネジを付いている。
【図２０】本考案請求項３の第二実施例を示す二段型遠心分液ロート中のコック基部である。上部接続部は外ネジを付いている。
【符号の説明】
【０００１５】  １外ネジ付
２遠心分液ロート管胴体
３コック
４基部
５流出口
６栓塞の切れ口
７栓塞連通孔
８十字穴付き型
９四方型ハンドル
１０三角型ハンドル
１１Ｌ形ハンドル
１２コック栓室内ネジ
１３栓塞外ネジ
１４外ネジ付流出口
１５内ネジ付
１６液体流路
１７Ｏリング
【図１】
0003156599.tif 000003
【図２】
0003156599.tif 000004
【図３】
0003156599.tif 000005
【図４】
0003156599.tif 000006
【図５】
0003156599.tif 000007
【図６】
0003156599.tif 000008
【図７】
0003156599.tif 000009
【図８】
0003156599.tif 000010
【図９】
0003156599.tif 000011
【図１０】
0003156599.tif 000012
【図１１】
0003156599.tif 000013
【図１２】
0003156599.tif 000014
【図１３】
0003156599.tif 000015
【図１４】
0003156599.tif 000016
【図１５】
0003156599.tif 000017
【図１６】
0003156599.tif 000018
【図１７】
0003156599.tif 000019
【図１８】
0003156599.tif 000020
【図１９】
0003156599.tif 000021
【図２０】
0003156599.tif 000022
【手続補正書】
【提出日】平成21年5月19日(2009.5.19)
【手続補正１】
【補正対象書類名】実用新案登録請求の範囲
【補正対象項目名】全文
【補正方法】変更
【補正の内容】
【実用新案登録請求の範囲】
【請求項１】
液体入口に蓋用外ネジ１付管状形態２を持つ、管状体の中下方位置に栓室と栓塞を備えている二方コック３を介設し、コックの下部に細い液体流出口５を設けて、その液体流出口５の全周にわたって空間を作っているスカートで取り囲まれ、且つこのスカートの長さが流出口５の長さより長い形状を備えている、遠心分離機のロータ・バケットに適合できる且つ遠心力に耐えうる構造を特徴とする一体型遠心分液ロート。
【請求項２】
液体入口に蓋用外ネジ１付管状形態２を持つ、管状体の下部に細い液体流出口５を設けて、且つ流出口５に接続用ネジを設けている構造を特徴とする上下ネジ付管形ロート。
【請求項３】
栓室と栓塞を備えている二方コックの上部に接続用ネジを付いている、そのネジは請求項２記載の管形ロートの流出口５への接続用ネジに適応する、コックの下部に細い液体流出口５を設けて、その液体流出口５の全周にわたって空間を作っているスカートで取り囲まれ、且つこのスカートの長さが流出口５より長い形状を備えている構造を特徴とする円柱形二方コック。
【請求項４】
請求項２記載の上下ネジ付管形ロートを上段として、請求項３記載の円柱形二方コックを下段として、ネジ切りして上下段を接続して一体成れたことにより、遠心分離機のロータ・バケットに適合できる且つ遠心力に耐えうる構造を特徴とする二段ねじ式結合型遠心分液ロート。
【請求項５】
略円錐状貫通孔を持つコック体は管胴体の中心垂直線を基準にして傾斜角度を持つ形状に形成されてなり、また、そのコック栓室に嵌合できる開閉自在に連通孔付き栓塞構造を特徴とする、請求項１又は４記載の遠心分液ロートに使用するコック。
【請求項６】
栓塞の軸方向中心線を基準として栓塞の重心は栓塞連通孔の横側面において非対称的な重心偏移構造を特徴とする、請求項１又は４記載の遠心分液ロートに使用するコック栓塞。
【請求項７】
栓塞のハンドルを含むコック全体は管胴体の外直径に等しく或はより短くであって、ハンドルは非対称的な重心偏移構造であって、ハンドルを採用しない場合は一字或いは十字穴付き形構造を特徴とする、請求項１又は４記載の遠心分液ロートに使用するコック栓塞。
【請求項８】
栓塞連通孔の横側面に斜面な切欠き溝口を設ける且つ栓塞の重心は溝口の反対側であって遠心運動中切欠き溝口が上向ける状態となる構造を特徴とする、請求項１又は４記載の遠心分液ロートに使用するコック栓塞。
【請求項９】
栓塞の端部と栓室の奥部に取り付け用の嵌め合い構造を設ける特徴とする、請求項１又は４記載の遠心分液ロートに使用するコック。
【請求項１０】
0003156599.tif 000023
が形成され、栓室の入口部に内ネジを設けて、かつ、栓塞の先端部は栓室に嵌め合い形を持って流路の開け閉め機能を持つ、栓塞の後端部外周に栓塞へ螺着用の外ネジ部（８）が形成されている構造を特徴とする、請求項１又は４記載の遠心分液ロートに使用するコック。
【請求項１１】
遠心分液ロートのコック栓室及び栓塞は高い摩擦性材質で構成される場合に、コックの栓室は円筒形を持つ、栓塞は円柱形を持つ、嵌めあいは中間バメ或は弱いシマリバメを実施して密封状態に成れ、材質の大きな摩擦係数特性を利用して栓塞ゆるむ防止と同時に軸水平回転による開閉できる構造を特徴とする、請求項１又は４記載の遠心分液ロートに使用するコック。
【請求項１２】
遠心分液ロートのコック及び栓塞は高い摩擦性材質で構成される場合に、コックの栓室は長方筒形を持つ、栓塞は長方柱形を持つ、嵌めあいは中間バメ或は弱いシマリバメを実施して密封状態に成れ、材質の大きな摩擦係数特性を利用して栓塞ゆるむ防止と同時に軸方向水平往復移動による開閉できる構造を特徴とする、請求項１又は４記載の遠心分液ロートに使用するコック。
【請求項１３】
栓塞の先端部においては、液体流路を縦中心線として上下両側に一つずつの嵌め合い用の歯を設けている、栓室の奥部においては、液体流路を縦中心線として左右両側に嵌め合い用の弧状斜面滑り台を設けて、その両側の弧状斜面滑り台のあいだには栓塞の嵌め合い用の歯を通過できるような間隙があって、その弧状斜面滑り台は両端始点が中間点より低く且つ中間点に凹槽を設けている、栓塞の歯と栓室の斜面滑り台との嵌め合いは、栓塞を軸水平回転による、栓塞の歯が斜面滑り台へ滑り上げ、凹槽でロック・解放できる程度な嵌め合いである構造を特徴とする請求項１又は４記載の遠心分液ロートに使用するコック。
【手続補正４】
【補正対象書類名】明細書
【補正対象項目名】全文
【補正方法】変更
【補正の内容】
【考案の詳細な説明】
【技術分野】
【０００１】  遠心機に適応する分液ロートに係わり、液−液分離の実験器具に関する。
【背景技術】
【０００２】  分液漏斗は互いに溶解し合わない２相の液体を比重の差を利用して分離する為に使用される実験器具である。従来分液ロートは、上部は広口の共栓型が有って、すり合わせ部に回転により開閉可能な空気孔を設け、円錐状丸型或いは管状胴体、下部に長いスキーブ形、足の付け根に二方コックを持つ漏斗である。その二方コックは単純に栓塞を栓室に挿し込むであった。分液操作は比重の異なる二種以上の非相溶性液体の混合液を一定時間で振盪させたあとは、容器を静置することにより各液体層を分離させる。分離された液層は分液ロートのコックを解放するより下層試料を得る操作によって各層を分離するのは基本操作である。図１は従来分液ロート示す概略図である。分液漏斗は以下の欠点があった：▲１▼密度差がわずかである液−液は分離困難、▲２▼懸濁液や乳液など液−液は分離困難、▲３▼混合二相が静置自然分離のため、長時間が要し効率が低く同時に、二相も相互に残存の問題で分離精度も高くなく、分析誤差の原因となる、▲４▼また、従来遠心沈殿管は分液ロートの機能がないので、下層液を分取するのは、上層液を取り出してから或いは上層液を通して下層液を取り出す作業を要し、操作不便及びコンタミン問題が生じてしまう欠点がある。
【考案の開示】
【考案が解決しようとする課題】
【０００３】  上述の如く構成された従来例は、空気孔付共栓型口、円錐状丸型胴体、裸露な排出口、栓塞がコック栓室に単に嵌合せしめている簡単な構造であるから、遠心機で遠心分離に適応的な形質を持っていないから、応用分野が狭く、上記の欠点があった。本発明の目的は、分液ロート法と遠心分離法の二つ分離方法結合し、遠心機で遠心分離に適応な新たな実験器具「遠心分液ロート」を発明したことにより、上記各欠点を解決することを目的とするものである。
【課題を解決するための手段】
【０００４】  従来分液ロートの分離機能を保つ上、遠心機に適用する及び遠心力に耐えうる形状と構造を設けるによって課題を解決する。
【考案の効果】
【０００５】  本考案は、遠心分離に適応的な形質を持つ、新たな実験器具「遠心分液ロート」を提供できる。
【実施例】
【０００６】  回転軸に対して角度をつけて保持する固定角ロータ、及び回転によりロータ・バケットを遠心方向にスイングさせる水平ロータは遠心分離機でよく使われている。容量１０ｍＬ、２５ｍＬ、５０ｍＬ、１００ｍＬ、１００ｍＬ、２５０ｍＬ、５００ｍのロータ・バケットも遠心分離機でよく使われている。本考案は通常ロータ・バケットに対応する。図２、４は本考案の第一と第三実施例を示す小容量遠心分液ロートである。図３は本考案の第二実施例を示す大容量遠心分液ロートである。本発明の遠心分液ロートは、遠心分離機ロータ容量に適用できるような形態が有し且つ遠心力（使用目的によって、１０００Ｇから数千Ｇまで）に耐えうる構造を備えている。遠心分液ロートを遠心機ロータにセットするはハンドル側を遠心力の反対方向へ、即ち遠心機の回転軸へ向うようにセットすることで更に栓塞脱落防止ことができる。又は、遠心分液ロート方法は従来の分液ロード方法と違い、遠心力を加わっているため、液漏れを防止するのには、栓塞と栓室を従来形式より高精度設計加工することが必要となる。胴体、コック、栓塞、保護座は酸やアルカリ、有機溶媒など広範囲な耐食性なガラス或いは合成樹脂例えばテフロン（登録商標）、ポリプロピレン材質で構成である。【０００７】  図５は本考案の第一、第二の実施例に係る栓塞を示す概略図である。図６は本考案の第三実施例に係る栓塞を示す概略図である。コックの栓塞は切れ面を上向きにセットして、液体から生じる垂直下向きの遠心力は斜面（例えば４５度）に当たって、垂直分力と水平分力に分散られ、水平分力による栓塞を押さえてロックすると共に、垂直下向きの力が弱くなるによる栓塞隙間への圧力が軽減され、液体漏れの可能性も減少する。回転速度が速いほど栓塞が強く閉められ、高圧にも適用できるとなり、密閉効果を確保し、そして、軽快に開閉操作も可能になる。又は、栓塞の軸中心線から見ると切れ口側を上向きして、上部の重量より反対側が重くのような重心偏移構造は遠心運動中重量配分偏り生じる為、重い部分が下部に向くことによって遠心運動中栓塞に遠心力により、切れ口側が上に向ける状態となる。【０００８】  図４と図６で示す第三実施例は、管胴体の中心垂直線を基準にして、ニ方コックは９０度より狭い角度になっている構造は遠心力を利用して栓塞を押さえ、緩み防止の目的である。回転速度が速いほど栓塞が強く閉められ、高圧にも適用可能にして密閉効果を確保し、そして、軽快に開閉操作も可能にする。【０００９】  二方コックの足側の排出口を直接に他の物に接触しないように清潔を保つため、及び自立できるようのため、排出口の周辺にスカート抱合保護座を設けている自立式遠心分液ロートである。【０００１０】  従来ハンドル形は遠心運動間に遠心力による位置変動の不安定な原因となるため、遠心機に適用できない。本考案のハンドル支点中心からの重心偏移構造は遠心運動中重量配分に偏りが生じるようの為重い部分が下部に置くことによってこの問題を解決する。非対称的な重心偏移ハンドル構造は、図８が四方形、図９が三角形、図１０がＬ−ａ形，図１１がＬ−ｂ形ハンド実施例を示している。大型遠心分液ロートに対してハンドルを設置するのは容易ですが、小型遠心��液ロートに対してハンドルを設置するのは困難なので、ハンドルを替わり一字或は十字穴付き形がこの問題を解決する。図７は十字穴付き形栓塞実施例を示している。【０００１１】  遠心分液ロート本体はガラス材質、コックの栓塞が低い摩擦性合成樹脂例えばテフロン（登録商標）材質で構成した場合には、栓塞の緩みを防止するため、栓塞端部とコック栓室奥部で嵌め合い連結します。嵌め合い強さは、素手で抜き差しができてなるべく固めの嵌め合いことを基準にしての構造、或いは嵌め合い用の弧状斜面滑り台を設けて、部品を損傷しないで分解・組立てできる。弧状斜面滑り台がある場合は、栓塞を栓室に挿し込み、栓塞の歯を栓室にの両弧状斜面滑り台の間隙に置き、栓塞を軸水平回転により斜面滑り台の低い始点から高い中間点へ滑り上がって、嵌め合いを弱から強へ調整し、凹槽でロックされて、栓塞が吸い込まれ力が保つによって栓塞は軸方向に動かすが難くなると共に、合成樹脂の潤滑性を利用して軸水平回転による凹槽から返還できる。図１２は請求項９を示す実施例である。図２１は請求項１３を示す第一実施例である。図２２は請求項１３を示す第二実施例である。【０００１２】  図１３と図１４は請求項１０を示すネジ型コック実施例である。【０００１３】  遠心分液ロートは薬品耐性にすぐれたポリプロピレン材質（或いはポリブタジェンスチレン、高密度ポリエチレン）で構成した場合には、コック栓室と栓塞の嵌めあいは中間バメ或シマリバメを実施してその摩擦性を利用して遠心中の振動でも栓塞がゆるむことはないと同時に、やや力で栓塞が栓室中に開閉できる。図１５は請求項１１に関する円柱形栓塞が円筒形栓室中に回り開閉できる遠心分液ロートコックを示している。図１６は請求項１２に関する長方形栓塞が長方形栓室中に左右移動開閉できる遠心分液ロートコックを示している。【０００１４】  請求項２，３，４を示す二段ねじ式結合型遠心分液ロートは二つ実施例がある。図１７と図１８は管形ロートの流出口に外ネジを付いて、コックの上部接続部分は内ネジを付いて、ネジ切りして接続して一体成れる実施例である。図１９と図２０は管形ロートの流出口に内ネジを付いて、コックの上部接続部は外ネジを付いて、ネジ切りして接続して一体成れる実施例である。この独創的な形状が締結を実現し、組み立てでも取外し洗浄てもし易くになる。
【産業上の利用可能性】
【０００１５】  遠心機も分液ロートも有機化学実験において頻繁に使用される実験装置であり、この二つ装置の使用を組み合わせによって出来た遠心分液ロートはその応用分野を大きく広くなって、作業能率が向上し、分離精度も高くなり、作業時間も大幅短縮であって、その産業上の利用可能性は大である。
【図面の簡単な説明】
【０００１６】
【図１】従来分液ロート示す代表図である。
【図２】本考案請求項１の第一実施例を示す概略正面図、側面図、断面図である。
【図３】本考案請求項１の第二実施例を示す概略断面図である。
【図４】本考案請求項５の施例を示す概略断面図である。
【図５】本考案請求項１の第一、第二の実施例に係る及び請求項６、７，８の実施例に係る円柱形栓塞を示す概略正面図、平面図と断面図である。
【図６】本考案請求項５、６、７，８の実施例に係る栓塞を示す概略断面図、平面図と正面図である。
【図７】本考案請求項６、７，８の重心偏移構造栓塞実施例を示す十字穴付き型である。
【図８】本考案請求項６、７，８の重心偏移構造栓塞実施例を示す非対称的な重心偏移四方型ハンドルである。
【図９】本考案請求項６、７，８の重心偏移構造栓塞実施例を示す非対称的な重心偏移三角型ハンドルである。
【図１０】本考案請求項６、７，８の重心偏移構造栓塞実施例を示す非対称的な重心偏移Ｌ−Ａ形ハンドルである。
【図１１】本考案請求項６、７，８の重心偏移構造栓塞実施例を示す非対称的な重心偏移Ｌ−Ｂ形ハンドルである。
【図１２】本考案請求項９の実施例に係る栓室、栓塞のシマリバメ部分を示す要部概略断面図である。
【図１３】本考案請求項１０の第一実施例に係るネジ型コック及び栓塞を示す概略断面図、平面図である。
【図１４】本考案請求項１０の第二実施例に係るネジ型コック及び栓塞を示す概略断面図、平面図である。
【図１５】本考案請求項１１の実施例に係る高い摩擦性が有る円筒形栓室と円柱形栓塞を示すコック概略断面図である。
【図１６】本考案請求項１２の実施例に係る高い摩擦性が有る長方筒形栓室と長方柱形栓塞を示すコック概略断面図である。
【図１７】本考案請求項２の第一実施例を示す二段ねじ式結合型遠心分液ロート中の上下ネジ付管形ロート概略断面図であり、管形ロートの流出口に外ネジを付いている。
【図１８】本考案請求項３の第一実施例を示す二段ねじ式結合型遠心分液ロート中の円柱形二方コックであり、上部接続部は内ネジを付いている。
【図１９】本考案請求項２の第二実施例を示す二段ねじ式結合型遠心分液ロート中の上下ネジ付管形ロート概略断面図であり、管形ロートの流出口に内ネジを付いている。
【図２０】本考案請求項３の第二実施例を示す二段ねじ式結合型遠心分液ロート中の円柱形二方コックであり、上部接続部は外ネジを付いている。
【図２１】本考案請求項１３の第一実施例に係る栓室、栓塞の要部を示す概略平面図、断面図である。及び滑り台の概略図である。
【図２２】本考案請求項１３の第二実施例に係る栓室、栓塞の要部を示す概略平面図、断面図である。
【符号の説明】
【０００１７】１外ネジ付
２遠心分液ロート管胴体
３コック
４スカート
５流出口
６栓塞の切れ口
７栓塞連通孔
８十字穴付き型
９四方型ハンドル
１０三角型ハンドル
１１Ｌ形ハンドル
１２コック栓室内ネジ
１３栓塞外ネジ
１４外ネジ付流出口
１５内ネジ付
１６液体流路
１７Ｏリング
１８栓塞の先端部
１９栓室奥部に斜面滑り台
２０斜面滑り台中間点凹槽
２１嵌め合い歯
２２斜面滑り台始点
２３嵌め合い凹溝
【手続補正８】
【補正対象書類名】図面
【補正対象項目名】全図
【補正方法】変更
【補正の内容】
【図１】
0003156599.tif 000024
【図２】
0003156599.tif 000025
【図３】
0003156599.tif 000026
【図４】
0003156599.tif 000027
【図５】
0003156599.tif 000028
【図６】
0003156599.tif 000029
【図７】
0003156599.tif 000030
【図８】
0003156599.tif 000031
【図９】
0003156599.tif 000032
【図１０】
0003156599.tif 000033
【図１１】
0003156599.tif 000034
【図１２】
0003156599.tif 000035
【図１３】
0003156599.tif 000036
【図１４】
0003156599.tif 000037
【図１５】
0003156599.tif 000038
【図１６】
0003156599.tif 000039
【図１７】
0003156599.tif 000040
【図１８】
0003156599.tif 000041
【図１９】
0003156599.tif 000042
【図２０】
0003156599.tif 000043
【図２１】
0003156599.tif 000044
0003156599.tif 000045
【図２２】
0003156599.tif 000046
【手続補正書】
【提出日】平成21年8月14日(2009.8.14)
【手続補正１】
【補正対象書類名】手続補正書
【補正対象項目名】手続補正８
【補正方法】変更
【補正の内容】
【手続補正８】
【補正対象書類名】図面
【補正対象項目名】全図
【補正方法】変更
【補正の内容】
【図１】
0003156599.tif 000047
【図２】
0003156599.tif 000048
【図３】
0003156599.tif 000049
【図４】
0003156599.tif 000050
【図５】
0003156599.tif 000051
【図６】
0003156599.tif 000052
【図７】
0003156599.tif 000053
【図８】
0003156599.tif 000054
【図９】
0003156599.tif 000055
【図１０】
0003156599.tif 000056
【図１１】
0003156599.tif 000057
【図１２】
0003156599.tif 000058
【図１３】
0003156599.tif 000059
【図１４】
0003156599.tif 000060
【図１５】
0003156599.tif 000061
【図１６】
0003156599.tif 000062
【図１７】
0003156599.tif 000063
【図１８】
0003156599.tif 000064
【図１９】
0003156599.tif 000065
【図２０】
0003156599.tif 000066
【図２１】
0003156599.tif 000067
【図２２】
0003156599.tif 000068